(57)【要約】【課題】テレビ放送受信中に所望の画像が表示されたときに所定の処理を速やかに実行することのできる端末装置を提供する。【解決手段】テレビ放送の受信機能を備えた端末装置において、表示部１２の画面上に表示された映像データの中で任意のオブジェクトを選択すると共に、そのオブジェクトに対する処理を選択してメモリ２６に登録しておく。これにより、制御部２５はテレビ放送受信中の映像データを画像認識し、その中に前記メモリ２６に登録されたオブジェクトの画像を認識できた場合に当該オブジェクトに対応付けられた処理を実行する。【選択図】      図２
2005159910.tif 000002
【特許請求の範囲】
【請求項１】
テレビ放送の受信機能を備えた端末装置であって、
画面上に表示された映像データの中から任意のオブジェクトを選択するオブジェクト選択手段と、
このオブジェクト選択手段によって選択されたオブジェクトの画像を認識対象として設定する認識対象設定手段と、
テレビ放送受信中の映像データを画像認識し、前記認識対象設定手段によって設定されたオブジェクトの画像を認識できたときに当該オブジェクトに対応付けられた所定の処理を実行する映像処理手段と
を具備したことを特徴とする端末装置。
【請求項２】
テレビ放送の受信機能を備えた端末装置であって、
画面上に表示された映像データの中から任意のオブジェクトを選択するオブジェクト選択手段と、
このオブジェクト選択手段によって選択されたオブジェクトの画像を認識対象として設定する認識対象設定手段と、
前記オブジェクトに対する処理を設定する処理設定手段と、
テレビ放送受信中の映像データを画像認識し、前記認識対象設定手段によって設定されたオブジェクトの画像を認識できたときに前記処理設定手段によって設定された処理を実行する映像処理手段と
を具備したことを特徴とする端末装置。
【請求項３】
前記オブジェクト選択手段は、テレビ放送受信中の映像データをオブジェクトの選択時の画像として用いることを特徴とする請求項１または２記載の端末装置。
【請求項４】
前記オブジェクト選択手段は、テレビ放送受信中の映像データとは別の映像データをオブジェクトの選択時の画像として用いることを特徴とする請求項１または２記載の端末装置。
【請求項５】
前記映像処理手段は、複数のオブジェクトが設定されている場合に、テレビ放送受信中の映像データにこれらのオブジェクトの画像がすべて含まれていることを条件として処理を実行することを特徴とする請求項１または２記載の端末装置。
【請求項６】
前記映像処理手段は、前記オブジェクトに対する処理として、予め登録された音声データを出力することを特徴とする請求項１または２記載の端末装置。
【請求項７】
前記映像処理手段は、前記オブジェクトに対する処理として、予め登録された当該オブジェクトに関連した別の画像を表示することを特徴とする請求項１または２記載の端末装置。
【請求項８】
前記映像処理手段は、前記オブジェクトに対する処理として、当該オブジェクトの画像を所定の状態に表示処理することを特徴とする請求項１または２記載の端末装置。
【請求項９】
テレビ放送の受信機能を備えた端末装置に用いられる映像処理方法であって、
画面上に表示された映像データの中から任意のオブジェクトを選択するステップと、
この選択されたオブジェクトの画像を認識対象として設定するステップと、
テレビ放送受信中の映像データを画像認識し、前記設定されたオブジェクトの画像を認識できたときに当該オブジェクトに対応付けられた所定の処理を実行するステップと
を備えたことを特徴とする映像処理方法。
【請求項１０】
テレビ放送の受信機能を備えた端末装置に用いられる映像処理方法であって、
画面上に表示された映像データの中から任意のオブジェクトを選択するステップと、
この選択されたオブジェクトの画像を認識対象として設定するステップと、
前記オブジェクトに対する処理を設定するステップと、
テレビ放送受信中の映像データを画像認識し、前記設定されたオブジェクトの画像を認識できたときに前記設定された処理を実行するステップと
を備えたことを特徴とする映像処理方法。
【請求項１１】
テレビ放送の受信機能を備えたコンピュータによって実行される映像処理用のプログラムであって、
前記コンピュータに、
画面上に表示された映像データの中から任意のオブジェクトを選択する機能と、
この選択されたオブジェクトの画像を認識対象として設定する機能と、
テレビ放送受信中の映像データを画像認識し、前記設定されたオブジェクトの画像を認識できたときに当該オブジェクトに対応付けられた所定の処理を実行する機能と
を実現させることを特徴とするプログラム。
【請求項１２】
テレビ放送の受信機能を備えたコンピュータによって実行される映像処理用のプログラムであって、
前記コンピュータに、
画面上に表示された映像データの中から任意のオブジェクトを選択する機能と、
この選択されたオブジェクトの画像を認識対象として設定する機能と、
前記オブジェクトに対する処理を設定する機能と、
テレビ放送受信中の映像データを画像認識し、前記設定されたオブジェクトの画像を認識できたときに前記設定された処理を実行する機能と
を実現させることを特徴とするプログラム。
【発明の詳細な説明】
【技術分野】
【０００１】
本発明は、例えば携帯型テレビ受信機やテレビチューナ付きパソコンなど、テレビ放送を受信可能な端末装置と、この端末装置に用いられる映像処理方法及びプログラムに関する。
【背景技術】
【０００２】
近年、例えば携帯型のテレビ受信機やテレビチューナ付きのパソコンなど、テレビ放送を受信可能な端末装置が普及し、どこでも手軽にテレビ放送を受信して視聴できるようになって来た。この種の端末装置では、通常のテレビ受信機と同様にチャンネルボタンなどの操作によって各局のチャンネルの切替えがなされ、指定されたチャンネルの映像データが画面上に表示されると共に、その映像データと同時に送られてきた音声データがスピーカから出力される。
【０００３】
ところで、テレビ放送の受信中において、ユーザ（視聴者）が指定した条件に基づいて何らかの処理を行うものとして、例えば特許文献１に開示されているテレビ受像機がある。
【０００４】
この特許文献１のテレビ受像機では、予めユーザが所望の映像に関するキーワードを登録しておく。そして、テレビ放送の受信中にテレビ信号の一定フレーム数の画像中の色、濃度が同一である部分を文字パターンとして１文字ずつ切り出して文字認識し、その認識結果として得られた文字コード列の中に前記登録キーワードが含まれていれば、ビープ音を鳴らしてユーザに通知する。これにより、ユーザはテレビ画面を常時見ていなくとも、ビープ音の発生によって所望の映像が表示されたことがわかる。
【特許文献１】特開平８−２０５０４３号公報
【発明の開示】
【発明が解決しようとする課題】
【０００５】
前記特許文献１に開示されている方法は、映像データに含まれる文字列を認識対象として、ユーザが指定したキーワードに合致した文字列を認識するものである。しかも、その文字列は放送局側で映像データの中に意図的に挿入したテロップのようなものであり、画像データではない。したがって、例えば人物などの画像を認識対象として、テレビ放送受信中にユーザが指定した人物の画像が出現したときに知らせるといったような利用はできない。
【０００６】
そこで、本発明は、テレビ放送受信中に所望の画像が表示されたときに所定の処理を速やかに実行することのできる端末装置、映像処理方法及びプログラムを提供することを目的とする。
【課題を解決するための手段】
【０００７】
本発明の端末装置は、テレビ放送の受信機能を備えた端末装置であって、画面上に表示された映像データの中から任意のオブジェクトを選択するオブジェクト選択手段と、このオブジェクト選択手段によって選択されたオブジェクトの画像を認識対象として設定する認識対象設定手段と、テレビ放送受信中の映像データを画像認識し、前記認識対象設定手段によって設定されたオブジェクトの画像を認識できたときに当該オブジェクトに対応付けられた所定の処理を実行する映像処理手段とを具備して構成される。
【０００８】
このような構成によれば、画面上に表示された映像データを利用して任意のオブジェクトを選択しておくことで、テレビ放送受信中の映像データの中にそのオブジェクトの画像を認識できたときに、当該オブジェクトに対応付けられた所定の処理を実行することができる。
【０００９】
本発明の端末装置は、テレビ放送の受信機能を備えた端末装置であって、画面上に表示された映像データの中から任意のオブジェクトを選択するオブジェクト選択手段と、このオブジェクト選択手段によって選択されたオブジェクトの画像を認識対象として設定する認識対象設定手段と、前記オブジェクトに対する処理を設定する処理設定手段と、テレビ放送受信中の映像データを画像認識し、前記認識対象設定手段によって設定されたオブジェクトの画像を認識できたときに前記処理設定手段によって設定された処理を実行する映像処理手段とを具備して構成される。
【００１０】
このような構成によれば、画面上に表示された映像データを利用して任意のオブジェクトを選択しておくと共に、そのオブジェクトに対する処理を設定しておくことで、テレビ放送受信中の映像データの中にそのオブジェクトの画像を認識できたときに、当該オブジェクトに対して設定された処理を実行することができる。
【００１１】
なお、前記オブジェクトを選択する場合に、テレビ放送受信中の映像データを用いて良いし、例えば録画映像などの別の映像データを用いても良い。
【００１２】
また、複数のオブジェクトを選択することでも良く、その場合にはテレビ放送受信中の映像データにこれらのオブジェクトの画像がすべて含まれていることを条件として処理を実行する。
【００１３】
また、前記オブジェクトに対する処理として、予め登録された音声データを出力すること、予め登録された当該オブジェクトに関連した別の画像を表示すること、当該オブジェクトの画像を所定の状態に表示処理することのいずれの処理が含まれる。
【発明の効果】
【００１４】
本発明によれば、テレビ放送受信中の映像データに含まれる画像を認識対象として、例えば特定の人物が登場した場合に音声出力を行うなど、所望の画像が表示されたときに所定の処理を速やかに実行することができる。
【発明を実施するための最良の形態】
【００１５】
以下、図面を参照して本発明の実施形態を説明する。
【００１６】
図１は本発明の一実施形態に係るテレビ放送受信機能を備えた端末装置の外観構成を示す図である。
【００１７】
図１に示すように、この端末装置１１は、携帯可能な小型の電子機器からなり、その機器本体の正面に表示部１２を有すると共に、その表示部１２の画面上に透明のタッチパネル１３が配設されている。表示部１２は、例えばＬＣＤ（Liquid Crystal Display）からなり、テレビ放送受信中の映像データなどが表示される。タッチパネル１３は、この表示部１１の画面上に載置され、ユーザが指あるいはペンなどで指定した位置の座標を検出して入力する。
【００１８】
また、表示部１１の周囲には、ＯＮ／ＯＦＦキー１４ａ、チャンネル呼び出しキー１４ｂ、メニュー呼び出しキー１４ｃなどを含む操作部１４が設けられていると共に、スピーカ１５、マイク１６などが設けられている。
【００１９】
ＯＮ／ＯＦＦキー１４ａは、この端末装置１１の電源をＯＮ／ＯＦＦする場合に操作される。チャンネル呼び出しキー１４ｂは、各局のチャンネルを呼び出す場合に操作される。このチャンネル呼び出しキー１４ｂの操作により、表示部１２の画面上の所定位置に各局のチャンネルメニュー１７が表示される。このチャンネルメニュー１７の中でユーザが受信したい局のチャンネル部分を指などでタッチすることで、チャンネルの切替えがなされる。
【００２０】
スピーカ１５は、テレビ放送受信中に映像データと共に送られて来る音声データなどを出力する。また、マイク１６は、ユーザが音声データを登録する場合の音声入力装置として用いられる。
【００２１】
図２は端末装置１１の電子回路の構成を示すブロック図であり、ここでは衛星あるいは地上のデジタル放送を受信する場合の構成が示されている。
【００２２】
デジタル放送では、伝送路がデジタルのため、多重化によって静止画像や文字放送などの形態の異なる情報を同時に伝送することが容易であり、また、情報圧縮技術を利用することで、従来のアナログのテレビ放送１チャンネルに数チャンネルの画像を伝送でき、さらに、画像の解像度や形状などを変更できるなどの利点がある。
【００２３】
図２に示すように、この端末装置１１には、このデジタル放送を受信するための構成要素として、アンテナ２１、デジタル放送受信部２２、画像処理部２３、音声処理部２４などが備えられている。
【００２４】
アンテナ２１は、放送電波を受信するためのアンテナであり、デジタル放送受信部２２に接続されている。デジタル放送受信部２２は、このアンテナ２１にて受信されたデジタル放送の信号処理を行うものであり、例えば映像データと音声データに分離する処理などを行う。
【００２５】
画像処理部２３は、デジタル放送受信部２２によって得られた映像データを表示部１２に表示するための処理を行う。音声処理部２４は、デジタル放送受信部２２によって得られた音声データをスピーカ１５に出力するための処理を行う。また、この音声処理部２４は、マイク１６から入力された音声データを登録するための処理も行う。
【００２６】
また、この端末装置１１には、例えばマイクロプロセッサからなる制御部２５が備えられていると共に、この制御部２５に接続されるメモリ２６や、タッチパネル１３、操作部１４などが備えられている。
【００２７】
制御部２５は、本装置全体の制御を行うものであり、メモリ２６に記憶されたプログラムを読み込むことにより、そのプログラムに記述された手順に従って各種処理を実行する。メモリ２６は、ＲＯＭやＲＡＭなどから構成され、制御部２５を起動するためのプログラムなどの各種データを記憶している。
【００２８】
図３はメモリ２６の一例を示す図である。
【００２９】
このメモリ２６には、本発明の映像処理を実現するためのプログラムを含む各種プログラムデータを記憶したプログラム記憶部３１の他に、ここでは設定データ記憶部３２や各種登録データ記憶部３３が設けられている。
【００３０】
設定データ記憶部３２には、認識対象として選択された各画像毎に、これらの画像の認識結果として得られたオブジェクトとそのオブジェクトに対応付けられた処理が記憶される。
【００３１】
図４はその設定データ記憶部３２の一例を示す図である。この例では、認識対象として選択された「画像１」と「画像２」に対し、これらの画像から得られたオブジェクト「背番号５」，「バット」と、この２つのオブジェクトを条件として実行される処理として「音声出力」が設定されている。
【００３２】
また、認識対象として選択された「画像３」と「画像４」に対し、これらの画像から得られたオブジェクト「背番号１０」，「ボール」と、この２つのオブジェクトを条件として実行される処理として「拡大表示」が設定されている。
【００３３】
前記メモリ２６の各種登録データ記憶部３３には、認識対象設定時にユーザによって任意に登録された音声データや画像データなどが記憶される。例えば、図４に示すオブジェクト「背番号５」，「バット」に対して、「きよはら」といった音声データを出力する場合であれば、その音声データ「きよはら」が登録データとして所定の圧縮方式により圧縮された状態で記憶される。
【００３４】
次に、同実施形態の動作を説明する。
【００３５】
ここでは、（ａ）認識対象設定時の処理と、（ｂ）テレビ放送受信時の処理に分けて、それぞれフローチャートと具体例を用いて説明する。なお、以下のフローチャートに示される各処理は、端末装置１１に搭載されたマイクロプロセッサである制御部２５がメモリ２６に記憶されたプログラムを読み込むことにより実行される。
【００３６】
（ａ）認識対象設定時の処理
図５は端末装置１１の認識対象設定時の処理動作を説明するためのフローチャートである。この認識対象設定処理は、表示部１２の画面上に何らかの映像データが表示された状態で、ユーザが図示せぬメニュー画面で「認識対象設定」の項目を選択することで実行される。前記メニュー画面は、図１に示す操作部１４に設けられたメニュー呼び出しキー１４ｃを操作することで表示される。
【００３７】
今、テレビ放送受信中の映像データを利用して認識対象を設定する場合を想定して説明する。なお、テレビ放送受信中の映像表示処理や音声再生処理については一般的に知られている手法を用いるものとし、ここでは詳しい説明は省略する。また、図２の例では、デジタル放送を受信する構成となっているが、本発明はデジタル放送に限らず、アナログ放送であっても適用可能である。
【００３８】
図５に示すように、まず、テレビ放送受信中において、ユーザが表示部１２に表示された映像データのある場面（シーン）で画面をタッチすると（ステップＡ１１のＹｅｓ）、その画面タッチの入力信号がタッチパネル１３を介して制御部２５に与えられる。制御部２５は、この入力信号を受信することにより、画像処理部２３を通じて当該場面で映像データを静止させた静止画面を生成し、その静止画面を表示部１２に表示する（ステップＡ１２）。
【００３９】
ここで、ユーザは前記映像データの静止画面上で任意のオブジェクトを設定するための操作を行う。ここで言う「オブジェクト」とは、画面上に表示されている様々な文字や物体などのことであり、ユーザはそのオブジェクトの画像部分を範囲選択することで設定する。
【００４０】
このときの様子を図８に示す映像データを例にして説明する。この映像データは、ある野球番組の１シーン（静止画像）を示したものである。
【００４１】
ユーザはこの映像データの静止画面上で認識対象となる画像の部分を範囲選択する（ステップＡ１３）。図８の例では、ある選手の背番号とバットの画像が範囲選択されており、この選択範囲４１、４２内の画像がそれぞれ認識処理され、その認識結果として得られるオブジェクトのデータが図４に示す設定データ記憶部３２に記憶される（ステップＡ１４）。
【００４２】
なお、ここで行われる画像認識の方法は周知の方法を用いるものとし、本発明ではその認識方法について特に限定されるものではないため、その詳しい説明は省略する。一般的な方法としては、例えば前記選択範囲内の画像部分を切り出し、その切り出した画像と予め用意された基準パターンとを比較するなどして、当該画像にて特定されるオブジェトが何であるのかを認識することになる。
【００４３】
この場合、文字の画像であれば、文字認識によりテキストに変換するものとする。また、物体画像であれば、その物体の種類が何であるのかを特定するものとする。図８の例では、選択範囲４１内は文字画像（背番号）であり、選択範囲４２内は物体画像（バット）である。
【００４４】
図９は選択範囲４１内の画像を認識しているときの状態を示している。この選択範囲４１内の画像を正しく認識できると、例えば「背番号５を認識しました。」といったようなメッセージ４３が画面上に表示される。また、図１０は選択範囲４２内の画像を認識しているときの状態を示している。この選択範囲４２内の画像を正しく認識できると、例えば「野球のバットを認識しました。」といったようなメッセージ４４が画面上に表示される。
【００４５】
このようにしてユーザの選択画像が認識されると、その認識結果として得られるオブジェクトのデータが当該オブジェクトに対応した適切な形式で設定データ記憶部３２に記憶される。すなわち、例えば文字であればテキストデータ、物体であればその物体を表す適切な画像データがオブジェクトデータとして設定データ記憶部３２に記憶されるものとする。
【００４６】
オブジェクトの選択後（ステップＡ１５のＹｅｓ）、続いて、そのオブジェクトに対して、どのような処理を実行するのかを設定する（ステップＡ１６）。この場合、図１１に示すような設定メニューが表示され、予め用意された各種処理項目の中で任意の処理を選択することができる。図１１の例では、「画像」、「音声」、「表示」といった３種類の処理項目５１〜５３が用意されており、その中で任意の処理項目の部分をタッチすることで選択する構成になっている。
【００４７】
ここで、前記設定メニュー上で「画像」の処理項目５１を選んだ場合には、任意の画像データの表示を設定することができる（ステップＡ１７）。また、「音声」の処理項目５２を選んだ場合には、任意の音声データの出力を設定することができ（ステップＡ１８）、「表示」の処理項目５３を選んだ場合には、拡大表示などの表示処理を設定することができる（ステップＡ１９）。このときの設定された処理は当該オブジェクトに対応付けられて設定データ記憶部３２に記憶される。
【００４８】
具体的に説明すると、例えば「背番号５」と「バット」といった２つのオブジェクトを条件として「きよはら」といった音声データを出力させる場合には、前記設定メニュー上で「音声」の処理項目５２を選択した後、マイク１６を通じて「きよはら」といった音声データを登録しておく。このときの音声データは、当該オブジェクトに対する処理項目に関連付けられてメモリ２６の各種登録データ記憶部３３に記憶される。
【００４９】
また、「画像」の処理項目５１を選択した後、例えば「きよはら」選手の顔写真などの任意の画像を登録しておくことで、「背番号５」と「バット」といった２つのオブジェクトを条件として前記登録画像を表示することができる。
【００５０】
また、「表示」の処理項目５３を選択した後、例えば「拡大表示」を指定しておけば、「背番号５」と「バット」といった２つのオブジェクトを条件として現在表示中の画像を部分的に拡大表示することができる。
【００５１】
（ｂ）テレビ放送受信時の処理
次に、テレビ放送受信時の処理について説明する。
【００５２】
図６は端末装置１１のテレビ放送受信時の処理動作を説明するためのフローチャートである。前記（ａ）の認識対象設定処理にてオブジェクトとその対応処理が設定された状態で、テレビ放送を受信すると、以下のような映像監視処理が行われる。
【００５３】
すなわち、テレビ放送受信時において、まず、ユーザが指定したチャンネルのテレビ放送がデジタル放送受信部２２にて受信され（ステップＢ１１）、その映像データが画像処理部２３を介して表示部１２に表示される（ステップＢ１２）。なお、実際には映像データと共に音声データも多重で送られて来ており、その音声データは音声処理部２４を介してスピーカ１５から出力される。
【００５４】
ここで、制御部２５は、前記指定チャンネルの映像データを画像認識し、その映像データの中に前記設定データ記憶部３２に記憶されたオブジェクトの画像を認識できた場合に、当該オブジェクトに対応付けられた処理を実行する（ステップＢ１３）。このときの画像認識処理について、図７を用いて詳しく説明する。
【００５５】
図７に示すように、制御部２５は、前記指定チャンネルの映像データを常時監視しており、その映像データを画像認識して前記設定データ記憶部３２に記憶されたオブジェクトの画像を抽出する（ステップＣ１１）。
【００５６】
この場合、複数のオブジェクトが設定されていれば、これらのオブジェクト毎にそれぞれの画像を抽出することになる。そして、条件が揃った場合、つまり、図４の例で言えば、現在表示されている映像データの１シーンに「背番号５」と「バット」の２つのオブジェクトの画像が含まれていた場合において（ステップＣ１２のＹｅｓ）、制御部２５は処理実行の条件が成立したものと判断して、当該オブジェクトに対して設定された所定の処理を前記設定データ記憶部３２から判断し、その処理を直ちに実行する（ステップＣ１３）。
【００５７】
図１２はその処理実行時の状態を示す図であり、表示中の映像データに「背番号５」と「バット」の２つのオブジェクトの画像が含まれていたことを条件にして「きよはら」といった音声データ６１が出力された状態を示している。この音声データ６１は、メモリ２６の各種登録データ記憶部３３に当該オブジェクトの処理項目に関連付けられて登録されている。
【００５８】
なお、図１２の例では、処理項目として音声出力が設定されていた場合であるが、例えば画像表示が設定されていた場合には画面上の所定の位置に予め登録されていた顔写真等の画像が表示されることになる。
【００５９】
また、拡大表示が設定されていた場合には、当該オブジェクトの画像部分（図１２の例では、「背番号５」と「バット」の２つのオブジェクトの画像）を中心に現在の表示画面が所定の倍率で拡大して表示されることになる。
【００６０】
以後、例えばチャンネル呼び出しキー１４ｂの操作によりチャンネルの切替えがあれば（ステップＢ１４のＹｅｓ）、その切り替えられたチャンネルの映像データに対して前記同様に処理が繰り返し実行される。そして、ＯＮ／ＯＦＦキー１４ａの操作により電源がオフされると（ステップＢ１５のＹｅｓ）、ここでの処理が終了する。
【００６１】
このように、画面上で任意のオブジェクトを認識対象として登録しておけば、テレビ放送受信中の映像データの中にそのオブジェクトの画像が含まれていたときに、当該オブジェクトに対応付けられた所定の処理を速やかに実行することができる。
【００６２】
この場合、対応処理として例えば音声出力を設定しておけば、テレビ画面をいつも見ていなくとも、音声出力により所望の画像が表示されたことを知ることができる。その他、用途に応じて様々な処理を行わせることができる。
【００６３】
なお、前記実施形態では、テレビ放送受信中の映像データを利用してオブジェクト（認識対象）を選択するものとして説明したが、例えば録画された映像データを再生表示して、その中から所望のオブジェクトを選択することでも良い。前記映像データは例えばメモリ２６の各種登録データ記憶部３３に予め記憶されており、必要に応じて読み出されて表示部１２に表示される。
【００６４】
また、前記実施形態では、現在表示中の映像データを監視対象としたが、例えば裏番組の映像データを監視対象として上述したような処理を行うようにしても良い。このようにすれば、例えば他の番組を見ながら、裏番組で所望の人物が登場したときに直ぐに切り替えることができる。
【００６５】
要するに、本発明は前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。例えば、実施形態で示される全構成要件から幾つかの構成要件が削除されても、「発明が解決しようとする課題」で述べた効果が解決でき、「発明の効果」の欄で述べられている効果が得られる場合には、この構成要件が削除された構成が発明として抽出され得る。
【００６６】
なお、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ−ＲＯＭ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【図面の簡単な説明】
【００６７】
【図１】本発明の一実施形態に係るテレビ放送受信機能を備えた端末装置の外観構成を示す図。
【図２】同実施形態における端末装置の電子回路の構成を示すブロック図。
【図３】同実施形態における端末装置のメモリの一例を示す図。
【図４】同実施形態における端末装置のメモリに設けられた設定データ記憶部の一例を示す図。
【図５】同実施形態における端末装置の認識対象設定時の処理動作を説明するためのフローチャート。
【図６】同実施形態における端末装置のテレビ放送受信時の処理動作を説明するためのフローチャート。
【図７】同実施形態における端末装置のテレビ放送受信時の処理に含まれる画像認識処理を示すフローチャート。
【図８】同実施形態における端末装置の認識対象設定時に用いられる映像データの一例を示す図。
【図９】同実施形態における端末装置の認識対象設定時の選択画像を認識状態を示す図。
【図１０】同実施形態における端末装置の認識対象設定時の選択画像を認識状態を示す図。
【図１１】同実施形態における端末装置の認識対象設定時に用いられる処理の設定メニューの一例を示す図。
【図１２】同実施形態における端末装置のテレビ放送受信時の処理実行時の状態を示す図。
【符号の説明】
【００６８】
１１…端末装置、１２…表示部、１３…タッチパネル、１４…操作部、１４ａ…ＯＮ／ＯＦＦキー、１４ｂ…チャンネル呼び出しキー、１４ｃ…メニュー呼び出しキー、１５…スピーカ、１６…マイク、１７…チャンネルメニュー、２１…アンテナ、２２…デジタル放送受信部、２３…画像処理部、２４…音声処理部、２５…制御部、２６…メモリ、３１…プログラム記憶部、３２…設定データ記憶部、３３…各種登録データ記憶部。
【図１】
2005159910.tif 000003
【図２】
2005159910.tif 000004
【図３】
2005159910.tif 000005
【図４】
2005159910.tif 000006
【図５】
2005159910.tif 000007
【図６】
2005159910.tif 000008
【図７】
2005159910.tif 000009
【図８】
2005159910.tif 000010
【図９】
2005159910.tif 000011
【図１０】
2005159910.tif 000012
【図１１】
2005159910.tif 000013
【図１２】
2005159910.tif 000014